(57)【要約】【課題】  回転支柱の上、下の回転軸の中心を簡単に垂直線上に揃えてセットできて建付け時及び建付け後のドアの位置を簡単に調整できるスライド式回転ドア装置を提供すること。【解決手段】  間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上下端に軸を介して枢支連結し、ドアパネルが回転しながら移動して間口を開閉することができるスライド式回転ドア装置において、前記下部軸受金具を前後左右に移動させることにより前記回転支柱の位置を垂直状態の侭で前後左右に移動調整できるようにしたことを特徴とする。【選択図】        図６
2007046436.tif 000002
【特許請求の範囲】
【請求項１】
間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上下端に軸を介して連結し、ドアパネルが回転しながら移動して間口を開閉することができるスライド式回転ドア装置において、
前記下部軸受金具を前後左右に移動させることにより前記回転支柱の位置を垂直状態の侭で前後左右に移動調整できるようにしたことを特徴とするスライド式回転ドア装置。
【請求項２】
間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上下端に軸を介して連結し、ドアパネルが回転しながら移動して間口を開閉することができるスライド式回転ドア装置において、
前記上部軸受金具及び下部軸受金具を前後左右に移動させることにより前記回転支柱の位置を垂直状態の侭で前後左右に移動調整できるようにしたことを特徴とするスライド式回転ドア装置。
【請求項３】
請求項２に記載されるスライド式回転ドア装置において、
前記回転支柱の上部の回転軸を枢支する上部軸受金具を前記上部レール内に前後左右に移動調整可能に収納したことを特徴とする請求項１に記載のスライド式回転ドア装置。
【請求項４】
請求項１に記載されるスライド式回転ドア装置において、
前記回転支柱の下部の回転軸を枢支する下部軸受金具を床面又は前記３方枠の一方の縦枠に固着された基板に対して前後左右に移動できるように装着したことを特徴とする請求項１に記載のスライド式回転ドア装置。
【請求項５】
間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上下端に軸を介して連結し、ドアパネルが回転しながら移動して間口を開閉することができるスライド式回転ドア装置において、
前記回転支柱の上部の回転軸を枢支する上部軸受金具は上方向には該回転軸を伴って上昇する軸受金具とし、同軸受金具を収納する上部レールを上下に移動可能とすることにより前記回転支柱の位置を垂直状態の侭で上下に移動調整することができるようにしたことを特徴とするスライド式回転ドア装置。
【請求項６】
間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上下端に軸を介して連結し、ドアパネルが回転しながら移動して間口を開閉することができるスライド式回転ドア装置において、
前記回転支柱の上部の回転軸を枢支する上部軸受金具は該回転軸を上下及び前後左右に移動させることができる軸受金具とし、同軸受金具を収納する上部レールを上下に移動可能とすることにより前記回転支柱の位置を上下に移動調整することができ、且つ、回転支柱の位置を垂直状態の侭で前後左右に移動調整できるようにしたことを特徴とするスライド式回転ドア装置。
【請求項７】
請求項２、３記載のスライド式回転ドア装置において、
前記回転支柱の上部の回転軸を枢支する上部軸受金具を前後に移動調整できるようにする手段として、前記上部軸受金具を収納する上部レールの前後の側板の外側から差し入れた前後のネジが螺合する螺子孔を上部軸受金具に形成し、この前後のネジの螺回により上部軸受金具の位置を前後に移動させる手段を採用したことを特徴とする請求項２、３記載のスライド式回転ドア装置。
【請求項８】
請求項４記載のスライド式回転ドア装置において、
前記回転支柱の下部の回転軸を枢支する下部軸受金具を床面又は前記３方枠の一方の縦枠に固着された基板に対して前後左右に移動できるようにする手段として、基板に形成された螺孔に螺合するネジが遊嵌される長孔を形成した左右方向にのみ自由度があるスライド板に、同スライド板に植設されたピンが遊嵌される半円孔を形成した平板状の下部軸受金具をピンにて軸支して該下部軸受金具を基板に対して前後左右に移動させる手段を採用したことを特徴とする請求項３記載のスライド式回転ドア装置。
【請求項９】
請求項６記載のスライド式回転ドア装置において、
前記上部軸受金具を収納する上部レールを上、下に移動可能とする手段として、前記３方枠の上枠に固定された取付レールに対して上部レールの上端を上下動可能に遊嵌し、調節ネジにて下から上下動させる手段を採用したことを特徴とする請求項５記載のスライド式回転ドア装置。
【請求項１０】
間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上下端に軸を介して連結し、ドアパネルが回転しながら移動して間口を開閉することができるスライド式回転ドア装置において、
前記回転支柱の厚みはドアパネルの厚みより後ろ側に１〜３ｍｍ程度大きくし、ドアパネルに隣接する部分にアールをとってドアパネルとの隣接個所の違和感を解消すると共に、ドア閉鎖時におけるスライド式回転ドア装置特有の戸尻側が閉鎖しきれずに発生するドアパネルの回転支柱に対する前後方向の収まり具合の不動を吸収させて外観形状の向上を図るようにしたことを特徴とするスライド式回転ドア装置。
【発明の詳細な説明】
【技術分野】
【０００１】  本発明は、建付け時及び建付け後のドアパネルを支持する回転支柱の位置を簡単に調整できるスライド式回転ドア装置に関するものである。
【背景技術】
【０００２】
【公知文献１】
特開平０９−１８４３５２号公報
【公知文献２】
特開平１０−１０２８９１号公報
【公知文献３】
特開平１１−３３６４１３号公報
【発明の開示】
【発明が解決しようとする課題】
【０００３】  従来から、ドアパネルが回転しながら移動して間口を開閉することができるスライド式回転ドア装置は特開平０９−１８４３５２号公報、特開平１０−１０２８９１号公報、特開平１１−３３６４１３号公報等によって公知である。【０００４】  ドアパネル吊り下げ型のスライド式回転ドア装置とは、特開平１０−１０２８９１号公報、特開平１１−３３６４１３号公報に見られるように、間口に装着された３方枠の上枠には上部レールを設け、該上部レールを移動するランナーにはドアパネルを吊設し、同３方枠の一方の縦枠に沿って上下端に旋回アームを固着した回転支柱を上部軸受金具及び下部軸受金具を介して回転可能に軸支すると共に、前記上、下の旋回アーム先端をドアパネルの上下端に軸を介して連結し、ドアパネルが回転しながら移動して間口を開閉することができるようにしたもので、ドア開放時にはドアの２／３程度が部屋内に引き込まれるため、ドア開放時の通路幅を広くすることができ、開閉用の所要スペースを最小にすることができ、また、床面には障害物がないことから身障者用のトイレブース等に賞用されている。【０００５】  しかし、特開平１１−３３６４１３号公報の発明のように上下端に旋回アームを固着した回転支柱を３方枠の縦枠に直接蝶番によって蝶着する構造のものは装置の建付け時に取付位置が狂うことは殆どないが、特開平０９−１８４３５２号公報または特開平１０−１０２８９１号公報記載の発明のように３方枠の一方の縦枠に沿って配設された上下端に旋回アームを固着した回転支柱の上下の回転軸を上枠及び床面に固定した上部軸受金具及び下部軸受金具を介して回転可能に枢支する構造のものは回転支柱の上、下の回転軸の中心を垂直線上に揃えてセットすることは極めて難しく、また、このようにセットしても使用中に何らかの原因で回転支柱の上部または下部の回転軸の中心がずれた場合にはドアが正常に開閉しなくなるという問題点があった。
【発明の目的】
【０００６】  本発明の第１の目的は、間口に装着された３方枠の上枠には上部レールを設け、該上部レールを移動するランナーにはドアパネルを吊設し、同３方枠の一方の縦枠に沿って配設された上下端に旋回アームを固着した回転支柱の上、下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
回転支柱の上、下の回転軸の中心を簡単に垂直線上に揃えてセットできて建付け時及び建付け後のドアの位置を簡単に調整できるスライド式回転ドア装置を提供することにある。
【０００７】  本発明の第２の目的は、同じく間口に装着された３方枠の上枠には上部レールを設け、該上部レールを移動するランナーにはドアパネルを吊設し、同３方枠の一方の縦枠に沿って配設された上下端に旋回アームを固着した回転支柱の上、下の回転軸を上部軸受金具及び下部軸受金具を介してそれぞれ回転可能に枢支すると共に、前記上、下の旋回アーム先端をドアパネルの上下端に軸を介して枢支連結し、ドアパネルが回転しながら移動して間口を開閉することができるスライド式回転ドア装置において、
ドアの上下位置の修正を簡単に行えるスライド式回転ドア装置を提供することにある。
【０００８】  本発明の第３の目的は、同じく間口に装着された３方枠の上枠には上部レールを設け、該上部レールを移動するランナーにはドアパネルを吊設し、同３方枠の一方の縦枠に沿って配設された上下端に旋回アームを固着した回転支柱の上、下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
回転支柱の上、下の回転軸の中心を簡単に垂直線上に揃えてセットできて建付け時及び建付け後のドアパネルの位置を簡単に調整でき、且つ、ドアパネルの上、下位置の修正を簡単に行えるドアの３次元的な位置調整ができるスライド式回転ドア装置を提供することにある。
【課題を解決するための手段】
【０００９】  本発明に係る第１の目的を達成するための請求項１に記載するスライド式回転ドア装置は、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上下端に軸を介して枢支連結し、ドアパネルが回転しながら移動して開口を開閉することができるスライド式回転ドア装置において、
前記下部軸受金具を前後左右に移動させることにより前記回転支柱の位置を垂直状態の侭で前後左右に移動調整できるようにしたことを特徴とするものである。
【００１０】  本発明に係る第１の目的を達成するための請求項２に記載するスライド式回転ドア装置は、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上下端に軸を介して枢支連結し、ドアパネルが回転しながら移動して間口を開閉することができるスライド式回転ドア装置において、
前記上部軸受金具及び下部軸受金具を前後左右に移動させることにより前記回転支柱の位置を垂直状態の侭で前後左右に移動調整できるようにしたことを特徴とするものである。
【００１１】  また、請求項３に記載するスライド式回転ドア装置は、請求項１に記載されるスライド式回転ドア装置において、前記回転支柱上部の回転軸を枢支する上部軸受金具を前記上部レール内に前後左右に移動調整可能に収納したことを特徴とするものである。
【００１２】  更に、請求項４に記載するスライド式回転ドア装置は、請求項１に記載されるスライド式回転ドア装置において、前記回転支柱の下部の回転軸を枢支する下部軸受金具を床面又は前記３方枠の一方の縦枠に固着された基板に対して前後左右に移動できるように装着したことを特徴とするものである。
【００１３】  本発明の第２の目的を達成するための請求項５に記載するスライド式回転ドア装置は、間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、前記回転支柱の上部の回転軸を枢支する上部軸受金具は上方向には該回転軸を伴って上昇する軸受金具とし、同軸受金具を収納する上部レールを上、下に移動可能とすることにより前記回転支柱の位置を垂直状態の侭で上、下に移動調整することができるようにしたことを特徴とするものである。
【００１４】  本発明の第３の目的を達成するための請求項６に記載するスライド式回転ドア装置は、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
前記回転支柱の上部回転軸を枢支する上部軸受金具は上方向には該回転軸を伴って上昇する軸受金具とし、同軸受金具を収納する上部レールを上、下に移動可能とすることにより前記回転支柱の位置を垂直状態の侭で上、下に移動調整することができ、且つ、回転支柱の位置を垂直状態の侭で前後左右に移動調整できるようにしたことを特徴とするものである。
【００１５】  請求項７、８、９は前記請求項１〜６の具体的な実施態様項であって、請求項１〜５記載の発明と同じ作用、効果を有する構成はこの具体的な実施態様に囚われず本発明の範疇に含まれるものである。
【００１６】  請求項１０は、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
前記回転支柱の厚みはドアパネルの厚みより後ろ側に１〜３ｍｍ程度大きくし、ドアパネルに隣接する部分にアールをとってドアパネルとの隣接個所の違和感を解消すると共に、ドア閉鎖時におけるスライド式回転ドア装置特有の戸尻側が閉鎖しきれずに発生するドアパネルの回転支柱に対する前後方向の収まり具合の不動を吸収させて外観形状の向上を図るようにしたことを特徴とするものである。
【発明の作用】
【００１７】  請求項１、２、３、４発明では、上、下の軸受金具の位置を前後左右に移動調整することにより回転支柱の上、下の回転軸の中心を垂直線上に揃える作用をし、ドアの正常な開閉動作が行えるようにする。
【００１８】  請求項５の発明では、回転支柱の上部の回転軸を枢支する上部軸受金具を上方向には該回転軸を伴って上昇する軸受金具として同軸受金具を収納する上部レールを上下に移動させることにより回転支柱を上下動させる作用をし、ドアパネルの上下方向の収まり具合を調整する。
【００１９】  請求項６の発明では、請求項１、４の発明を組み合わせることによりドアの３次元的な位置調整ができるようにする。
【実施例１】
【００２０】  図１は、本発明装置の建て付け状態における概略正面図、図２は、ドア閉鎖時におけるドアパネルと回転支柱の関係を表わす要部拡大平面図、図３は、同装置の上枠側から見た平面図、図４は、上部レールと取付レール及びランナーの関係を表わす側面図、図５は、図１のＡ−Ａ線における縦断側面図、図６は、図５のＢ−Ｂ線における縦断正面図、図７は、図６のＣ−Ｃ線における横断平面図、図８は、基板と下部軸受金具との関係を表わす平面図である。【００２１】  図において、１は、間口に装着された、上枠１−１と両縦枠１−２、１−２から成る３方枠、２は、同３方枠の一方の縦枠１−２に沿って配設された上、下端にそれぞれ旋回アーム２−１、２−２を固着した回転支柱で、前後方向（間口部の間口面に直交する方向）の厚みは後述するドアパネルの厚みより後ろ側に１〜３ｍｍ程度大きくし、ドアパネルに隣接する部分にアールをとってドアパネルとの隣接個所の違和感を解消すると共に、ドア閉鎖時におけるスライド式回転ドア装置特有の戸尻側が閉鎖しきれずに発生するドアパネルの回転支柱に対する前後方向の収まり具合の不動を吸収させて外観形状の向上を図るようにしてある。（図２）【００２２】  ここで回転支柱の厚みをドアパネルの厚みより後ろ側に１〜３ｍｍ程度大きくした理由は、１ｍｍ以下では差が極めて小さくドアパネルに隣接する部分にアールをとってもドアパネルとの隣接個所の違和感を解消することができず、また、３ｍｍ以上ではドア閉鎖時にラッチ錠のラッチボルトが戸先側の縦枠１−２に設けられたストライキに係合できなくなってスライド式回転ドア装置として機能しなくなるからである。【００２３】  また、前記回転支柱２の上、下の前後方向の中心位置には後述する上、下の軸受金具に枢支される回転軸２−３、２−４が装着されている。【００２４】  ３は、上、下の旋回アーム２−１、２−２を固着した回転支柱２とでドアを構成するドアパネルで、ドアパネル３の上、下端の所定個所と上、下の旋回アーム２−１、２−２の先端が軸２−１ａにてそれぞれ枢支連結されている。【００２５】  ４は、前記３方枠１の上枠１−１に取り付けられる断面凸字型の上部レールであって、上枠１−１へ取り付けるための断面コ字型の取付レール５の両側内面に形成された段部５−１、５−１上に上部レール４の幅の狭い上端部両側に形成された段部４−１、４−１を載せることにより取付レール５に上部レール４が吊持された状態になるようにしてある。（図４、図５）【００２６】  また、上部レール４の少なくとも左右両端２箇所において、上部レール４の頂板中央に形成された螺孔に螺合する調節ネジａの頭部を取付レール５の頂板中央に回転可能に確保させる構造を採用して調節ネジａの螺回により上部レール４が上下動できるようにしてある。【００２７】  但し、回転支柱３の上下調整を必要としない場合は、上部レール４を直接上枠１−１に取り付けておけばよいものである。【００２８】  ６は、ドアパネル３を吊設するためのランナーで、車輪が前記上部レール４の水平片４−２、４−２上を転動するようにしてある。（図４）【００２９】  ７は、前記回転支柱２の上部回転軸２−３を枢支するための孔７−１が形成された上部軸受金���であって、前記上部レール４の水平片４−２、４−２上に載せられており、上部レール４内を左右方向（間口部の横幅方向）にスライドさせることができるようになっている。【００３０】  また、上部軸受金具７の前後両側面には螺孔７−２、７−２が形成されており、上部レール４の前後両側面に形成された左右方向の長孔４−３、４−３から挿通され、螺孔７−２、７−２に螺合するネジ７−３、７−３にて上部軸受金具７を前後方向に移動させ、且つ、長孔４−３、４−３に沿ってネジ７−３、７−３を移動させることによって左右に移動させることができるようになっている。【００３１】  更に、上部軸受金具７の左右位置調整が終了したときの上部軸受金具７の固定手段として、止め板７−３と上部軸受金具７の間に上部レール４の水平片４−２、４−２を挟み込んでネジｂを緊締することにより固定する手段を採用している。【００３２】  而して、前記回転支柱２の上部回転軸２−３は頭部を有するボルトとしてあり、前記上部軸受金具７の中央の孔７−１から差し入れたボルト（上部回転軸２−３）を前記上部旋回アーム２−１にナットを介して一体化させるようにしてある。【００３３】  ８は、前記回転支柱２の下部回転軸２−４を枢支するための孔８−１及び半円孔８−２を形成した平板状の下部軸受金具であって、後述する手段によってこの下部軸受金具８が前後左右に移動調整できるようになっている。【００３４】  即ち、下部軸受金具８が前後左右に移動調整できるようにする構成は、床面に固着された基板９に形成された左右方向の溝に嵌まり込んで左右方向にのみスライドするスライド板１０を設け、同スライド板１０に形成された長孔１０−１を通して基板９に形成された螺孔９−１に螺合するネジ９−２を設け、このスライド板１０に重なるように置いた前記下部軸受金具８の半円孔８−２を通してスライド板１０に形成された螺孔１０−２に螺合するネジ８−３を設け、この下部軸受金具８の半円孔８−２と反対側の端部をピン８−４にてスライド板１０に枢着したもので、ネジ１０−２を緩めた状態の侭スライド板１０を左右方向に押すことによって下部軸受金具８がスライド板１０と一体となって左右に移動し、ネジ８−３を緩めた状態の侭下部軸受金具８を前後方向に押すことによってピン８−４を支点として下部軸受金具８が揺動して前後に移動するから、結果として下部軸受金具８を前後左右に移動調整することができるもので、調整後はネジ９−２、ネジ８−３を緊締しておけばその位置で固定されるものである。【００３５】  尚、図７では下部軸受金具８の厚みが薄いため、下部回転軸２−４を下部軸受金具８側に止め、下部旋回アーム２−２側で枢支する構造を採っているが、下部軸受金具８の厚みが厚い場合とか回転支柱の位置を上下に移動調整する必要がない場合には下部旋回アーム２−２に下部回転軸２−４に固着しておいてもよいものである。【００３６】  尚、図中、１１は、上部レール４の前側を隠す飾りカバー、１２は、上部レール４の後側を隠す飾りカバー、１３は、上部回転軸２−３の浮き上がりを防止するプロテクター、１４は、操作することによりドアパネル３の回転支柱２と反対側に設けられたラッチ錠Ｒが施解錠するドアハンドルである。��し、特許第３５２１４０３号公報に記載の２点ロック方式を採用すれば、ドアパネル３の戸先側と戸尻側の２点がロックされて施錠時のドアパネル３の揺れが防止できて安定した閉鎖状態が保持される。【００３７】  次に、本発明に係るスライド式回転ドア装置の建て付け方法並びにその作用を具体的に説明する。【００３８】  先ず、床面の所定個所に予め下部軸受金具８を装着しておいた基板９をネジにて固定する。但し、基板９をＬ字型金具とし、垂直片部分を３方枠１の回転支柱側の縦枠１−２に固定してもよい。【００３９】  次に、上下端に上、下旋回アーム２−１、２−２を固着した回転支柱２の上部回転軸２−３に上部軸受金具７を上記段落００３１で述べたように取着し、この上部軸受金具６並びにランナー６を端部から差し入れた上部レール４を３方枠１の上枠１−１に取付レール５を介して或いは上下調整を必要としない場合は直接取り付け、回転支柱２を垂下させた状態で下部の回転軸２−４が下部軸受金具８の枢支部と一致するところで上部軸受金具７を上部レール４に止め板７−３で仮止めする。【００４０】  仮止め後、ドアパネル３の上端にランナー６の軸を固着すると共に、ドアパネル３の上下端に上、下旋回アーム２−１、２−２をそれぞれ軸２−１ａにて枢支してドアパネル３を取り付ける。【００４１】  以上のようにドア装置を間口に建て付けた後、ドアハンドル１４を操作してドアを開閉してドアが正常な開閉動作を行うか否かを検査し、異常な動作がある場合は、上、下の軸受金具７、８を上述した方法で前後左右に動かしてドアが正常な開閉動作ができる位置で上部軸受金具７並びに下部軸受金具８をそれぞれ固定する。【００４２】  この状態で固定状態をより確実なものとするため、上記止め板７−３に形成された孔から挿通したネジ７−４にて合成樹脂製のプロテクター１３と共に上枠１−１に固定して本発明のドア装置の建て付けが完了する。【００４３】  尚、上記実施例では上部レール４の長さを縦枠１−２、１−２間の間隔と同じ長さにしてあるので、上部軸受金具７やランナー６は上部レール４を上枠１−１に取り付ける前に予めレール端部から差し入れておかなければならないが、上部レール４を縦枠１−２、１−２間の間隔の２／３程度の長さ及び１／３程度の長さを有する２本のレールとしておき、２／３程度の長さを有するレールを予め上枠１−１に固定しておいても、上部軸受金具７やランナー６は後からレールの開放した端部から差し入れることができるため、予めドアパネル３を固着したランナー６を後から装着することができて便利であり、調整後、残りの１／３程度の長さを有するレールを上枠１−１に固定し、レールの前後を飾り板１１、１２で隠せば体裁も先の実施例の場合と全く変わらないものである。【００４４】  また、上部レール４の長さを縦枠１−２、１−２間の間隔と同じ長さにしてあっても、上部レール４のランナーが装置の建て付け後には転動しない部分にランナー６を入れることができる出入口をランナ−４の前側の側板に形成しておけば、上部レール４を予め上枠１−１に取り付けておいても、上部軸受金具７やランナー６は後から装着することができて上記した場合と同じく便利である。【００４５】  本発明装置の��アを開閉する動作は、ハンドル１４を握ってラッチ錠Ｒを解錠してハンドル１４をその侭押してやると、ドアパネル１はランナー６の軸部を支点として反時計方向に旋回しようとするから、軸によって枢支連結される回転支柱２の旋回アーム２−１、２−２は時計方向に旋回し、回転支柱２は時計方向に回転する。【００４６】  ドアパネル３は旋回アーム２−１、２−２に連結されている関係上、ランナー６の軸部を支点として旋回できない状態になったとき、ドアパネル３をそのまま回転支柱２側の縦枠１−２方向に押してやると、ドアパネル３を吊っているランナー６が上部レール４に案内されて走行し、ドアパネル３は旋回しながら全体が回転支柱２側の縦枠１−２に寄ってきて開口部が全開する。この動作は従来のスライド式回転ドア装置の動作と全く同じであるので、詳細な記述は省略する。
【発明の効果】
【００４７】  以上述べたように、請求項１、２、３、４の本発明に係るスライド式回転ドア装置によれば、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上下端に軸を介して枢支連結し、ドアパネルが回転しながら移動して間口を開閉することができるスライド式回転ドア装置において、
前記上部軸受金具及び下部軸受金具を前後左右に移動させることにより前記回転支柱の位置を垂直状態の侭で前後左右に移動調整できるようにしたものであるから、回転支柱の上、下の回転軸の中心を簡単に垂直線上に揃えてセットできてドア装置の建付け時及び建付け後のドアの位置を簡単に調整でき、常時ドアの正常な開閉動作を行えるという優れた効果を奏し得るものである。
【００４８】  また、請求項４の本発明に係るスライド式回転ドア装置によれば、間口に装着された３方枠の上枠には上部レールを設け、該上部レールを移動するランナーにはドアパネルを吊設し、同３方枠の一方の縦枠に沿って配設された上下端に旋回アームを固着した回転支柱の上下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
前記回転支柱の上部の回転軸を枢支する上部軸受金具は上方向には該回転軸を伴って上昇する軸受金具とし、同軸受金具を収納する上部レールを上、下に移動可能とすることにより前記回転支柱の位置を垂直状態の侭で上、下に移動調整することができるようにしたものであるから、軸受金具を収納する上部レールを上、下に移動させることにより回転支柱を上下動させることができ、ドアの上下方向の収まり具合を調整することができて便利である。
【００４９】  更に、また、請求項５の本発明に係るスライド式回転ドア装置によれば、間口に装着された３方枠の上枠には上部レールを設け、該上部レールを移動するランナーにはドアパネルを吊設し、同３方枠の一方の縦枠に沿って配設された上、下端に旋回アームを固着した回転支柱の上、下の回転軸を上部軸受金具及び下部軸受金具を介してそれぞれ回転可能に枢支すると共に、前記上、下の旋回アーム先端をドアパネルの上、下端に軸を介して枢支連結し、ドアパネルが回転しながら移動して間口を開閉することができるスライド式回転ドア装置において、
請求項１の発明と請求項４の発明を組み合わせて、前記回転支柱の上部回転軸を枢支する上部軸受金具は上方向には該回転軸を伴って上昇する軸受金具とし、同軸受金具を収納する上部レールを上、下に移動可能とすることにより前記回転支柱の位置を垂直状態の侭で上、下に移動調整することができ、且つ、回転支柱の位置を垂直状態の侭で前後左右に移動調整できるようにしたものであるから、ドアの３次元的な位置調整ができて便利である。
【００５０】  以上のように、本発明に係るスライド式回転ドア装置は、回転支柱の位置を垂直状態の侭で前後左右に移動調整でき、また、必要に応じて回転支柱の位置を垂直状態の侭で上下方向にも移動できるようにしたものであるから、ドア装置の建付け時及び建付け後のドアの位置を簡単に調整でき、常時ドアの正常な開閉動作を行え、スライド式回転ドア装置の建て付け作業の能率化を図ることができ、工期短縮にきわめて大きく貢献できるものである。
【図面の簡単な説明】
【００５１】
【図１】  本発明装置の建て付け状態における概略正面図である。
【図２】  ドア閉鎖時におけるドアパネルと回転支柱の関係を表わす要部拡大平面図である。
【図３】  図３は、同装置の上枠側から見た平面図である。
【図４】  上部レールと取付レール及びランナーの関係を表わす側面図である。
【図５】  図１のＡ−Ａ線における縦断側面図である。
【図６】  図５のＢ−Ｂ線における縦断正面図である。
【図７】  図６のＣ−Ｃ線における横断平面図である。
【図８】  基板と下部軸受金具との関係を表わす平面図である。
【符号の説明】
【００５２】  １          ３方枠
２          回転支柱
３          ドアパネル
４          上部レール
５          取付レール
６          ランナー
７          上部軸受金具
８          下部軸受金具
９          基板
１０          スライダー
【図１】
2007046436.tif 000003
【図２】
2007046436.tif 000004
【図３】
2007046436.tif 000005
【図４】
2007046436.tif 000006
【図５】
2007046436.tif 000007
【図６】
2007046436.tif 000008
【図７】
2007046436.tif 000009
【図８】
2007046436.tif 000010